(57)【要約】信号入力部及び信号出力部を持ち、オーディオ入力信号をオーディオ出力モードのオーディオを表すオーディオ出力信号に変換するオーディオモード変換手段を有するマルチチャネル・オーディオ変換システムが記述される。前記オーディオモード変換手段は、前記オーディオ入力信号から前記オーディオ出力信号へのユーザ制御の変換に対して構成される。有利に、前記オーディオ入力信号からオーディオ出力信号への変換の影響は、リスナにより行われうる。これは、前記システムの前記オーディオ出力信号におけるマルチチャネル・ステレオ及び／又はサラウンド効果の量に関するスムーズ且つ個人化された選択の自由を生じる。
2005519550.tif 000002
【特許請求の範囲】
【請求項１】
信号入力部及び信号出力部を持ち、オーディオ入力信号をオーディオ出力モードのオーディオを表すオーディオ出力信号に変換するオーディオモード変換手段を有するマルチチャネル・オーディオ変換システムであって、前記オーディオモード変換手段が、前記オーディオ入力信号から前記オーディオ出力信号へのユーザ制御の変換に対して構成されることを特徴とするマルチチャネル・オーディオ変換システム。
【請求項２】
前記オーディオモード変換手段が、１つ以上のユーザ制御関数を有する変換行列を定めることを特徴とする、請求項１に記載のマルチチャネル・オーディオ変換システム。
【請求項３】
前記ユーザ制御関数が、以下の量、即ち、
（ａ）前記オーディオ入力信号及び／又は前記オーディオ出力信号の対応する振幅、
（ｂ）前記オーディオ入力信号及び／又は前記オーディオ出力信号の対応する周波数スペクトル及び／又はスペクトル成分のスペクトル分布、及び／又は
（ｃ）スピーチ、映画モード、及び音楽の種類のようなオーディオのタイプ、
の１つ以上に依存することを特徴とする、請求項２に記載のマルチチャネル・オーディオ変換システム。
【請求項４】
前記ユーザ制御関数の少なくとも１つが、１つの変数に依存することを特徴とする、請求項２及び３の何れか一項に記載のマルチチャネル・オーディオ変換システム。
【請求項５】
前記１つの変数の値が、０乃至１であることを特徴とする、請求項４に記載のマルチチャネル・オーディオ変換システム。
【請求項６】
前記１つの変数の値が、約０．５であることを特徴とする、請求項５に記載のマルチチャネル・オーディオ変換システム。
【請求項７】
前記マルチチャネル・オーディオ変換システムが、前記オーディオ出力信号を与える３つ以上のオーディオ出力チャネルを持つことを特徴とする、請求項１乃至６の何れか一項に記載のマルチチャネル・オーディオ変換システム。
【請求項８】
オーディオ入力信号をオーディオ出力モードのオーディオを表すオーディオ出力信号に変換する方法であって、変換が、ユーザ制御のオーディオモード変換であることを特徴とする方法。
【請求項９】
前記ユーザ制御のオーディオモード変換が、以下の量、即ち、
（ａ）前記オーディオ入力信号及び／又は前記オーディオ出力信号の対応する振幅、
（ｂ）前記オーディオ入力信号及び／又は前記オーディオ出力信号の対応する周波数スペクトル及び／又はスペクトル成分のスペクトル分布、及び／又は
（ｃ）スピーチ、映画モード、及び音楽の種類のようなオーディオのタイプ、
の１つ以上に依存することを特徴とする、請求項８に記載の方法。
【請求項１０】
請求項１乃至７の何れか一項に記載のマルチチャネル・オーディオ変換システムで使用される信号であって、前記信号が、請求項８及び９の何れか一項に記載の方法により適用されるユーザ制御のオーディオモード変換を反映することを特徴とする信号。
【発明の詳細な説明】
【技術分野】
【０００１】
本発明は、信号入力部及び信号出力部を持ち、オーディオ入力信号をオーディオ出力モードのオーディオを表すオーディオ出力信号に変換するオーディオモード変換手段を有するマルチチャネル・オーディオ変換システムに関する。
【０００２】
本発明は、オーディオ入力信号をオーディオ出力モードのオーディオを表すオーディオ出力信号に変換する方法と、ここで使用される信号とにも関する。
【背景技術】
【０００３】
このようなマルチチャネル・オーディオ変換システム及び方法は、ＷＯ０２／０７４８１から既知である。既知のシステムは、信号入力部及び信号出力部を有するマルチチャネル・ステレオ・コンバータに関し、これによりステレオモードを持つオーディオ入力信号は、サラウンドモードを持つオーディオ出力信号に変換される。特に前記既知のシステムは、前記コンバータに結合され、前記オーディオ信号変換に影響を及ぼすステレオ振幅決定手段を持つ。これは、クロストークを持ち込むことなく、より幅広いオーディオモード変換を可能にする。実際に、前記モード変換−特にステレオ／サラウンドモード変換−は、適用されることができるか又はできないかの何れかである。これは、出力オーディオの知覚を変化する場合、特に音楽及びスピーチが交替する場合に、幾分ぎくしゃくした動作を生じるかもしれない。
【発明の開示】
【発明が解決しようとする課題】
【０００４】
従って、本発明の目的は、スムーズなマルチチャネルモード技術を適用することができる改良されたマルチチャネル・オーディオ変換システムを提供することである。
【課題を解決するための手段】
【０００５】
これに対して、本発明によるマルチチャネル・オーディオ変換システムは、オーディオモード変換手段が、オーディオ入力信号からオーディオ出力信号へのユーザ制御の（user controlled）変換に対して構成されることを特徴とする。
【０００６】
同様に、本発明による方法は、変換がユーザ制御のオーディオモード変換であることを特徴とする。
【０００７】
本発明による前記マルチチャネル・オーディオ変換システム及び方法の利点は、オーディオ変換のユーザ制御依存度が、前記システムのオーディオ出力信号におけるマルチチャネル・ステレオ及び／又はサラウンド効果の量に関する選択のスムーズで個人化された自由度を生じることである。加えて、ステレオ又はサラウンドモードが選択される場合、選択された出力モードは、音楽に適切であるかもしれないが、しかしながら、出力モードは、ここで、手動又は自動の何れかでスムーズに最適化されることができ、スピーチの適切な知覚に対する他のモードに次第に変更されることができる。スピーチから始まり、音楽の適切な知覚に関心を持つ場合に、同様な利点があてはまる。選択された出力モードは、部分的なステレオ及び部分的なサラウンド効果を含むユーザ制御の混合であることさえできる。これらの部分的な効果のパーセンテージも、ユーザ制御であることができる。
【０００８】
本発明による前記マルチチャネル・オーディオ変換システムの実施例は、オーディオモード変換手段が、１つ以上のユーザ制御関数を有する変換行列を定めることを特徴とする。
【０００９】
これは、例えば、ステレオ又はステレオサラウンド信号が、平滑化され、個人化され、且つ必要な知覚を反映する対応する連続関数を考慮に入れる新しいステレオ又はステレオサラウンド信号に変換されることを可能にする。
【００１０】
本発明による前記マルチチャネル・オーディオ変換システムの更に他の実施例は、前記ユーザ制御関数が、以下の量、即ち、
（ａ）前記オーディオ入力信号及び／又はオーディオ出力信号の対応する振幅、
（ｂ）前記オーディオ入力信号及び／又はオーディオ出力信号の対応する周波数スペクトル及び／又はスペクトル成分のスペクトル分布、及び／又は
（ｃ）スピーチ、映画モード、及び音楽の種類のようなオーディオのタイプ、
の１つ以上にも依存することを特徴とする。実際的な状況において、これは、リスナが、特定の多依存調整（multi-dependent adjustment）を行うことを可能にする。これらは、例えば、部屋のラウドスピーカの位置のような前記リスナの家の状況に依存してもよい。
【００１１】
本発明による前記マルチチャネル・オーディオ変換システムの実際的且つ単純な実施例は、前記ユーザ制御関数の少なくとも１つが、１つの変数に依存することを特徴とする。
【００１２】
この単純な実施例を用いると、マルチチャネル効果の所望の量が達成されるまでマルチチャネル効果の量を連続的に調整することができる回路を実施することは容易である。好ましくは、前記１つの変数の値は、例えば０が完全なステレオを表し、１が完全なサラウンドを表すような０乃至１の範囲である。より好ましくは、前記１つの変数の値は、この場合、約０．５である。
【００１３】
本発明による前記マルチチャネル・オーディオ変換システムは、完全なステレオの空間的なサラウンドシステムを実施するために３つ以上のオーディオチャネルを有することができる。
【００１４】
現在、本発明による前記マルチチャネル・オーディオ変換システム及び方法は、本発明による前記オーディオ変換システムの可能な実施例を実施する５チャネル・オーディオ変換システムの概略図を示す添付された唯一の図面が参照されながら、追加の利点と一緒に説明されるだろう。
【発明を実施するための最良の形態】
【００１５】
図は、特に、オーディオシステム２におけるオーディオ変換手段を実施するステレオ／５チャネル・ドルビープロロジック・デコーダ１を示す。オーディオ変換手段１は、信号入力部３と信号出力部４とを有する。出力部４は、部屋６の対応するラウドスピーカ５に結合される。システム２において、マルチチャネルエコーの発生を防止する対策がとられる。もし出力信号がＹで表され、入力信号がＸで表されるならば、一般的な場合には、前記出力信号と前記入力信号との間の関係は、
Ｙ＝ＦＸ  （１）
で与えられ、ここでＦは、ユーザ制御関数の形式の成分を持つ行列である。行列Ｆの列の数は、入力信号Ｘにおける信号の数ｘに対応し、前記行列の行の数は、出力信号Ｙにおける信号の数ｙに対応する。
範囲を限定されると、式（１）は、例えば以下のように書かれることができる。
【数１】
2005519550.tif 000003
ここで、Ｆ1は、５×７の行列であり、ＬT及びＲTは、信号入力部３に存在する真の左及び右ステレオ信号であり、Ｌ及びＲは、左及び右信号であり、Ｃはセンター信号であり、ＳL及びＳRは、それぞれ左サラウンド及び右サラウンド信号である。式（２）は、前記唯一の図にも示される態様で、オーディオシステム２において実施されることができる。もしここでデコーダ１が、入力部３におけるステレオを出力部４における５チャネル・サラウンドに変換する既知の２／５デコーダであると見なすならば、−ここでユーザ制御オーディオ変換手段を形成する−Ｆ1と示される前記ユーザ制御行列手段は、単純に出力部４とラウドスピーカ５との間に相互接続されることができる。出力部４における５つのサラウンド信号の他に、入力部３における２つの真のステレオ信号も、ここで、所望のオーディオ知覚をスムーズに個人化するために、ユーザ制御の５×７の行列手段Ｆ1に対する入力として使用される。
【００１６】
場合によっては−幾つかは０であるかもしれない−行列Ｆ又はＦ1の成分の少なくとも１つは、ここで、ユーザ制御関数である。加えて、これらは、例えば以下の量、即ち、
（ａ）前記オーディオ入力信号及び／又はオーディオ出力信号の対応する振幅、
（ｂ）前記オーディオ入力信号及び／又はオーディオ出力信号の対応する周波数スペクトル及び／又はスペクトル成分のスペクトル分布、及び／又は
（ｃ）スピーチ、映画モード及び音楽の種類のようなオーディオのタイプ、
に依存してもよい。随意に、例えば、前記ステレオ信号の主要な信号は、センター信号Ｃにより再生されてもよい。前記主要な信号は、例えば音楽及び映画の対話の音声を含みうる。前記主要な信号の成分の違いは、この場合、上述の量の１つに反映されることができ、これによりセンター信号Ｃの形式の変換手段１の適切な出力信号が強調される。これは、前記対話を際立たせ、従って映画スクリーンに対する前記リスナの視点を際立たせるので、一般に映画に対して望ましいが、音楽に対しては、これは一種の合成効果を与えるので、センタースピーカに音声を配置することは、あまり魅力的ではないと思われる。有利に、このような効果は、随意に調整されることができる。市場に出されることができるのは、消費者が、例えばそれぞれステレオ及びサラウンド効果の量及びパーセンテージを調整することを可能にする一種のユーザインターフェースである。こうすることにより、前記ユーザは、ラウドスピーカ５から聞こえる音声の幅を個人的に選択する自由を持つ。
【００１７】
場合によって行列Ｆ又はＦ1のユーザ制御成分関数は、左の項がオーディオ変換手段１の前記出力信号である以下の式により説明されるように、１つの変数のみに依存してもよい。
Ｌnew＝αＬT＋（１−α）Ｌ
Ｒnew＝αＲT＋（１−α）Ｒ
Ｃnew＝（１−α）Ｃ
ＳLnew＝（１−α）ＳL
ＳRnew＝（１−α）ＳR
ここで０≦α≦１である。
従って、もし前記ユーザがα＝１に調整するならば、通常のステレオが聞かれ、もしα＝０ならば、５チャネル・オーディオ・サラウンド再生が、センターＣにおける音声と共に聞かれる。音楽に対して、この場合、フロントチャネルにおけるより広い音声及びステレオと処理された新しいサラウンドステレオとの間の良いバランスを持つためにαを約０．５に設定することが望まれることができる。
【図面の簡単な説明】
【００１８】
【図１】本発明によるオーディオ変換システムの可能な実施例を実施する５チャネル・オーディオ変換システムの概略図を示す。
【図１】
2005519550.tif 000004
【国際調査報告】
2005519550.tif 000005
2005519550.tif 000006